(57)【要約】【課題】本発明は、携帯電話の側面に装着されて、ワンタッチ方式で電話機の機能を変更するキースイッチを押圧することによって制御される携帯電話用スイッチモジュールを提供すること。【解決手段】本発明による携帯電話用スイッチモジュールは、接続端子の接触部は弾性力を持つよう折り曲げられて、携帯電話に内臓される印刷回路基板に形成されたパターンに常時接触されるようになされ、印刷回路基板のパターンと接続端子との相互接続率を高めることで、電話機の使用寿命を大幅に延長させかつ製品に対する使用者の信頼度を向上させる効果を奏する。【選択図】図３
2005353563.tif 000002
【特許請求の範囲】
【請求項１】
携帯電話に内臓される印刷回路基板側面に設けられかつ前記携帯電話側面に設けられるキースイッチを押圧することによって制御される携帯電話用スイッチモジュールに於いて：
前記印刷回路基板のパターンに接触される第１接触部の端部が上記パターンを押圧する方向に弾性力を持つよう折り曲げ形成され、前記第１接触部の下方へ延長形成される第１接続部を持つ金属板材の第１接続端子；
前記印刷回路基板のパターンに接触される第２接触部の端部が前記パターンを押圧する方向に弾性力を持つよう折り曲げ形成され、前記第２接触部の下方へ延長形成され、かつ左右対称に形成される第２接続部を持つ金属板材の第２接続端子；
前記第１、２接触部が上方へ突出されるよう前記第１、２接続端子がインサート射出成形され、かつ前記第１、２接続部が収容される収容孔が左右に設けられるボディ；及び
周縁が前記第２接続部に常時接続されるよう収容孔に結合され、使用者が中央部を押圧するにつれ陥没されて、前記第１、２接続部を電気的に接続するメタルドームを含むことを特徴とする携帯電話用スイッチモジュール。
【発明の詳細な説明】
【技術分野】
【０００１】
本発明は、携帯電話の側面に装着されて、ワンタッチ方式で電話機のボリュームや機能モードが容易に変更できるキースイッチを押圧することに応じて、制御される携帯電話のスイッチモジュールに関し、さらに詳細には、携帯電話に内臓される印刷回路基板（ＰＣＢ）に形成されたパターンに接触されるスイッチモジュールの接続端子の接触部を弾性力を持つよう折り曲げ形成することによって、 印刷回路基板のパターンと接触端子との相互接続率を高める。それによって、製品の信頼度を向上させることができるようにした携帯電話用スイッチモジュールに関する。
【背景技術】
【０００２】
一般に、携帯電話は、使用者の操作により電話番号及び機能モードを選択しえるよう様々な機能が与えられたキーパッドを備え、電話機の側面にキーパッド機能のうち、特定の機能（ボリュームなどを調節する機能をいう）をワンタッチ方式で容易に変更することができる別途のキースイッチ（メタルドームスイッチが用いられる）を備える。
【０００３】
図１及び図２に示されたように、従来技術による携帯電話用スイッチモジュールは、携帯電話に内設された印刷回路基板（１）のパターン（２）に通電可能に接触される接触部（３）が上端に形成され、第１接触部（３）の下方へ延長形成される第１接続部（４）を持つ金属板材の第１接続端子（５）と；印刷回路基板（１）のパターン（２）に通電可能に接触されるよう第１接触部（３）と同じ方向に第２接触部（６）が折り曲げられて形成されて、第２接触部（６）の下方へ延長形成されると共に左右対称に形成される第２接続部（７）を持つ金属板材の第２接続端子（８）；からなる。
【０００４】
また、前述した従来のスイッチモジュールは、第１、２接続端子（５、８）の第１、２接触部（３、６）が上方へ突出されるよう射出成形されて、第１、２接続端子（５、８）の第１、２接続部（４、７）が収容される収容孔（９）が左右に形成されるボディ（１０）と、周縁が第２接続部（７）に接続されるよう収容孔（９）に結合されて、携帯電話の使用者により中央部を押圧する際に弾性変形されかつ第１接続部（４）と第２接続部（７）を電気的に連結する有線形のメタルドーム（１１）；からなる。
【０００５】
この際、前述した印刷回路基板（１）のパターン（２）に対し、第１、２接続端子（５、８）の第１、２接触部（３、６）は常時接触された状態を保持するよう装着される。
【０００６】
しかしながら、従来のスイッチモジュール構造は、図２に示されたように前述した第１、２接触部（３、６）が円弧状で形成されて、パターン２の上面に単純に重ねられた状態を保持するよう装着される。
【０００７】
従って、使用者の不注意により携帯電話に衝撃が加えられたり、また、第１、２接続端子（５、８）の材質の特性によって、第１，２接触部（３、６）の湾曲形成された円弧形状の部分が微妙に復元変型されうる場合、パターン（２）と第１、２接触部（３、６）との接触がオフとなり、印刷回路基板（１）と、第１，２接続端子（５、８）の通電が断絶される場合が頻繁に生じられることによって、使用者は携帯電話の側面に装着されるキースイッチを無理にに押圧して当該部品を破損させたり、製品に対して不信感を覚えるという問題があった。
【発明の開示】
【発明が解決しようとする課題】
【０００８】
本発明は、前記問題に鑑みなされたものであって、携帯電話に内設された印刷回路基板のパターンに接触されるスイッチモジュールの接続端子の接触部が弾性力を持つよう折り曲げられることによって、パターンと接触端子との相互接続率を高め、且つ、製品に対する信頼度を向上させるようにした携帯電話のスイッチモジュールを提供することにその目的がある。
【０００９】
また、本発明の他の目的は、印刷回路基板のパターンに対してスイッチモジュールの接続端子が常時接触された初期状態を保持するようにすることで、使用者が電話機側面に装着されたキースイッチをむりに押圧するによる当該部品の破損を防止することができるようにした携帯電話用スイッチモジュールを提供することにある。
【課題を解決するための手段】
【００１０】
前述した目的を達成するために、本発明による装置は、携帯電話に内臓される印刷回路基板の側面に設けられ、且つ、携帯電話の側面に設けられるキースイッチを押圧することによって制御される携帯電話用スイッチモジュールに於いて、印刷回路基板のパターンに接触される第１接触部の端部がパターンを押圧する方向に弾性力を持つよう折り曲げ形成され、第１接触部の下方へ延長形成される第１接続部を持つ金属板材の第１接続端子と、印刷回路基板のパターンに接触される第２接触部の端部がパターンを押圧する方向に弾性力を持つよう折り曲げ形成され、第２接触部の下方へ延長形成されかつ左右対称に形成される第２接続部を持つ金属板材の第２接続端子と、第１、２接触部が上方に突出されるよう第１、２接続端子がインサート射出成形され、かつ第１、２接続部が収容される収容孔が左右に形成されるボディと、周縁が第２接続部に常時接続されるよう収容孔に結合され、使用者が中央部を押圧するにつれ陥没されて、第１、２接続部を電気的に連結するメタルドームを含むことを特徴とする。
【００１１】
本発明の目的と長所は、以下の添付図面に基づいた詳細な説明により、明白となる。
【発明を実施するための最良の形態】
【００１２】
以下、本発明の望ましい実施例を添付図面を参照して説明するが、これは本発明の属する技術分野において通常の知識を有する者が発明を容易に実施し得る程度に詳細に説明したものであって、これにより、本発明の技術的思想及び範囲が限定されることを意味するのではない。
【００１３】
図３乃至図６は、本発明による一実施例を示した斜視図である。図３乃至図６に示されたように本発明の装置は、携帯電話に内臓される印刷回路基板の側面に設けられ、電話機側面に露出するように装着されるキースイッチの押圧によって制御されるスイッチモジュールに適用される。図１及び図２に示されたのと重複する符号については、詳細な説明を省略する。
【００１４】
本発明による携帯電話のスイッチモジュールは、印刷回路基板（１）（ＰＣＢ）のパターン（２）に常時接触されるよう第１接触部（３）の端部がパターン（２）を加圧する方向へ弾性力をもつように折り曲げ形成され、第１接触部（３）に略９０度の角度をなして下方へ延長形成される第１接続部（４）を持つ伝導性金属板材の第１接続端子（５）と、パターン（２）に常時接触されるよう第２接触部（６）の端部がパターン（２）を加圧する方向へ弾性力を持つよう折り曲げ形成され、第２接触部（６）に略９０度の角度をなして下方へ延長形成されかつ左右対称に形成される第２接続部（７）を持つ伝導性金属板材の第２接続端子（８）を備える。
【００１５】
また、前述した第１、２接触部（３，６）が上方へ突出されるよう第１、２接続端子（５、８）がインサート射出成形され、第１、２接続部（４，７）が収容される四角形状の収容孔（９）が左右に形成されるボディ（１０）と、周縁が第２接続部（７）に常時接続されるよう収容孔（９）の形状に対応できるよう形成されかつ収容孔（９）に結合され（この際、中央部は第１接続部（４）から離隔された状態を維持する）、使用者が中央部を押圧する時に陥没されて（弾性変形をいう）第１接続部（４）と接続されることで、 第１、２接続部（４，７）を電気的に接続する弾性復元力を持つ薄板状の導電性材質のメタルドーム（１１）を備える。
【００１６】
この時、スイッチモジュールを携帯電話内部の印刷回路基板（１）側面に設ける場合、隣接した部品に干渉されず、携帯電話のボディサイズを最も小さくさせられるよう前述した第１、２接続端子（５、８）の第１、２接触部（３、６）は、ボディ（１０）上面から突出されないように形成される。
【００１７】
次に、前記のような本発明による装置の作用及び効果を考察てみると、以下のようである。本発明による携帯電話用スイッチモジュールの使用例を添付図面を参照して説明する。
【００１８】
図５及び図６に示されたように、携帯電話の使用者が電話機の側面に露出されかつ装着されるキースイッチ（１２）を押圧する場合、前述したスイッチモジュールのボディ（１０）に形成された収容孔（９）に結合されるメタルドーム（１１）が押圧される。
【００１９】
即ち、使用者により外力（Ｐ）が加えられて、前述したメタルドーム（１１）の中央部が押圧されることによって、中央部が陥没されて（図６に仮想線で示される）第１接続部（４）と接触されるため、収容孔（９）の周縁に位置する第２接続端子（８）の第２接続部（７）と、収容孔（９）の中央に位置する第１接続端子（５）の第１接続部（４）は電気的に接続される。
【００２０】
この時、前述した第１、２接続端子（５，８）の第１、２接触部（３、６）は、印刷回路基板（１）のパターン（２）に接触された初期状態を常時保持するようになるため、パターン（２）と第１、２接続端子（５、８）との接続率を高めることができるようになる。
【００２１】
即ち、前述した第１、２接触部（３、６）の端部がパターン（２）を押圧する方向に弾性力を持つよう折り曲げ形成されることによって、使用者の不注意により携帯電話に衝撃が与えられたり、又、第１、２接続端子（５、８）の材質特性により折り曲げ形成された部位が微妙に復元変型される場合においても、第１、２接触部（３、６）はパターン（２）に接触された状態を常時保持することができるようになる。
【００２２】
一方、前述したメタルドーム（１１）に加えられた外力を取除く場合、弾性復元力によりメタルドーム（１１）が初期状態に復帰されることによって（この時、メタルドーム（１１）の周縁は第２接続端子（８）の第２接続部（７）と接続された初期状態を維持する）、メタルドーム（１１）の中央部が第１接続端子（５）の第１接続部（４）から離脱されて、第１接続端子（５）の第１接続部（４）と第２接続端子（８）の第２接続部（７）との電気的接続がオフとなる。
【００２３】
図７は本発明による他の実施例の斜視図である。図示されたように、本発明による他の実施例は、携帯電話の側面に装着されるキースイッチ（１２）が三つである携帯電話用スイッチモジュールとして、キースイッチに対応できるようボディ（１０）にメタルドーム（１１）が三箇所形成される。図３ないし図６に示されたのと実質的に同様であるので、詳細な説明は省略する。
【００２４】
図８は本発明によるさらに他の実施例の斜視図である。示されたように、本発明によるさらに他の実施例は、携帯電話の側面に装着されるキースイッチ（１２）が、個々の携帯電話用スイッチモジュールとして、キースイッチに対応するようメタルドーム（１１）がボディ（１０）に一箇所形成される。図３ないし図６に示されたのと実質的に同様であるため、詳細な説明は省略する。
【００２５】
以上、説明したように、本発明の装置は、携帯電話に内設された印刷回路基板のパターンに接触されるスイッチモジュールの接続端子の接触部を弾性力を持つよう折り曲げることによって、パターンと接続端子との相互接続率を高めて使用者の製品に対する信頼性を向上させる効果を奏する。
【００２６】
また、印刷回路基板のパターンに対してスイッチモジュールの接続端子が通電されるよう常時接触された初期状態を保持するので、使用者が電話機側面に装着されたキースイッチを無理に押圧することを防止し、かつ当該部品の使用寿命を大幅に延長させることができる効果をも奏する。
【図面の簡単な説明】
【００２７】
【図１】従来技術による携帯電話のスイッチモジュールの一部を切開した斜視図。
【図２】従来技術による携帯電話のスイッチモジュールの使用状態を示す図。
【図３】本発明による一実施例の一部を切開した斜視図。
【図４】本発明による一実施例の斜視図。
【図５】本発明による一実施例の使用状態を示す図。
【図６】図４に図示されたＡ−Ａ線の断面図。
【図７】本発明による他の実施例の斜視図。
【図８】本発明によるさらに他の実施例の斜視図。
【符号の説明】
【００２８】
１    印刷回路基板（ＰＣＢ）
２    パターン
３    第１接触部
４    第１接続部
５    第１接続端子
６    第２接触部
７    第２接続部
８    第２接続端子        
９    収容孔
１０  ボディ              
１１  メタルドーム
【図１】
2005353563.tif 000003
【図２】
2005353563.tif 000004
【図３】
2005353563.tif 000005
【図４】
2005353563.tif 000006
【図５】
2005353563.tif 000007
【図６】
2005353563.tif 000008
【図７】
2005353563.tif 000009
【図８】
2005353563.tif 000010